(57)【特許請求の範囲】
【請求項１】
リフィル皿を保持可能な収納部を有するリフィル皿保持部と、前記リフィル皿保持部に連結部を介して連接され、前記収納部の開口内に挿入され、該開口を封止可能に形成された中蓋と、前記リフィル皿保持部に連接されリフィル皿保持部に冠着自在に形成された外蓋とを備え、前記外蓋を前記リフィル皿保持部に冠着したときに、前記外蓋と前記中蓋との間にパフを収納可能な空間が形成され、前記収納部を区画形成する周壁には、前記リフィル皿保持部と前記中蓋を連接する連結部を挿入可能な凹陥部が形成され、さらに、前記中蓋と前記連結部の接続部は、中蓋を閉めた状態で前記周壁の頂面よりも低い高さに位置するよう形成されていることを特徴とするリフィル皿保護容器。
【請求項２】
前記連結部には、前記中蓋との接続部に並行して少なくとも１箇所の折り曲げ線が折り曲げ可能に形成されていることを特徴とする請求項１に記載のリフィル皿保護容器。
【請求項３】
前記折り曲げ線は該接続部付近に形成されていることを特徴とする請求項２に記載のリフィル皿保護容器。
【請求項４】
前記中蓋を閉めるときに、中蓋の前記連結部側の辺部が前記周壁の頂面に当接することを特徴とする請求項１ないし請求項３のいずれか１項に記載のリフィル皿保護容器。
【請求項５】
前記周壁の下端からはフランジが水平方向に突出形成されており、前記中蓋および前記外蓋が接続されていない側のフランジの辺部には溝状凹部が凹設さていることを特徴とする請求項１ないし請求項４のいずれか１項に記載のリフィル用保護容器。
【発明の詳細な説明】
【技術分野】
【０００１】
本発明は、化粧料を充填したリフィル皿を収納、保護するためのリフィル皿保護容器に関し、更に詳細には、リフィル皿とともにパフを収納することが可能で、かつ、そのまま化粧料容器としても使用可能なリフィル皿保護容器に関する。
【背景技術】
【０００２】
近年、化粧品の分野では、ファンデーションやアイカラー、頬紅等を中心に、詰め替えが可能なリフィル容器による提供がなされるようになっている。このタイプの化粧料は、使い切った後にリフィル用化粧料を購入し、繰り返し詰め替え使用するというものである。
【０００３】
こうしたリフィル用化粧料は、一般的に、リフィル皿に充填され、簡易な保護容器に入れられた状態で販売されている。かかる従来の保護容器として、特許文献１では、リフィル皿の化粧料露出面を覆うように装着する蓋部を有するリフィル容器が開示されている。
【０００４】
このタイプのリフィル容器は、リフィル皿の保護容器としては小型化されているものの、パフ（スポンジ）を収納する機能をもたないため、併せて販売する場合には、別途包装しなければならず、包装が嵩張ると共に、資源やゴミの軽減という観点からも好ましくなかった。
【０００５】
そこで、特許文献２には、一方開放の皿状ケースを３個折り畳み自在に連接して構成する保護容器が開示されている。このものは、特許文献１のものとは異なり、リフィル皿とパフを併せて収納することができるものである。
【０００６】
ところで、こうしたリフィル皿保護容器は、リフィル皿を専用のコンパクト等の化粧料容器に移し替えた後は廃棄されていたが、近年、あえてリフィル皿保護容器から専用の化粧料容器に移し替えることなく、購入時の状態のままリフィル皿保護容器を化粧料容器代わりにして使用する需要者が増えている。したがって、リフィル皿保護容器にも、従来の運搬時、保管時および販売時の保護という目的のみならず、そのまま、化粧料容器として使用できる機能が求められている。
【０００７】
その点、特許文献１のものは、パフを収納する機能をもたないため、従来のパフを収納可能な化粧料容器の代わりとなるものではなかった。また、特許文献２のものは、リフィル皿とパフを併せて収納することができるが、パフが最下層に収納されるなど、化粧料容器の代わりとしての使い勝手を考慮したものではなかった。
【０００８】
【特許文献１】特開２００４−２４８３３
【特許文献２】特開２００４−３２９７２５
【発明の開示】
【発明が解決しようとする課題】
【０００９】
そこで本発明は、従来のリフィル皿保護容器のかかる欠点を克服し、リフィル皿とパフをコンパクトに収納することができるとともに、化粧料容器としてもそのまま使用可能なリフィル皿保護容器の提供をその課題とするものである。
【課題を解決するための手段】
【００１０】
本発明は、上記課題を解決するものであり、リフィル皿を保持可能な収納部を有するリフィル皿保持部と、前記リフィル皿保持部に連結部を介して連接され、前記収納部の開口を封止可能に形成された中蓋と、前記リフィル皿保持部に連接されリフィル皿保持部に冠着自在に形成された外蓋とを備え、前記外蓋を前記リフィル皿保持部に冠着したときに、前記外蓋と前記中蓋との間にはパフを収納可能な空間が形成されることを特徴とするリフィル皿保護容器である。
【発明の効果】
【００１１】
本発明にかかるリフィル皿保護容器は、外蓋と中蓋との間にパフを収納可能なため、リフィル皿とパフをコンパクトに収納することができるとともに、そのまま化粧料容器としても使用したときも、パフの取り出しが容易であり、使い勝手が良い。
【００１２】
また、リフィル皿収納部と中蓋を連接する連結部に、少なくとも２箇所の折り曲げ線が形成されたリフィル用保護容器は、中蓋の閉まり際の感触は非常にスムーズに感じられるため、このまま化粧料容器として使用しても、高級感を演出することができる。
【図面の簡単な説明】
【００１３】
【図１】本発明のリフィル皿保護容器の平面図
【図２】本発明のリフィル皿保護容器の中央横断面図
【図３】本発明のリフィル皿保護容器にリフィル皿およびパフを収納した状態を表す断面図
【図４】（Ａ）、（Ｂ）、（Ｃ）本発明のリフィル皿保護容器の中蓋が閉まる際の、中蓋と連結部の一連の挙動と、周壁との関係について示した拡大図
【発明を実施するための形態】
【００１４】
以下、本発明のリフィル皿保護容器の実施態様を、図面に基づいて具体的に説明する。なお、本発明はこれら実施態様に何ら制約されるものではない。
【００１５】
図１は本発明のリフィル皿保護容器の平面図、図２は中央横断面図である。図中、１はリフィル皿保護容器、１０はリフィル皿保持部、１１はフランジ、１２は周壁、１３は凹陥部、１４は指入部、１５は底面、１６は係合部、１７は溝状凹部、１８は切り欠き部、１９は収納部、２０は中蓋、２１はフランジ、２２は天面、２３は凸環部、２４はつまみ部、２５は辺部、３０は外蓋、３１はフランジ、３２は天面、３３は側壁、３４は膨出部、３５は係合部、３６はつまみ部、４０は連結部、４１は接続部、４２は折り曲げ線、４３は接続部、５０は連結部をそれぞれ示す。
【００１６】
図１、図２に示すように、本発明のリフィル皿保護容器１は、リフィル皿保持部１０の両側に中蓋２０と外蓋３０が連接されており、リフィル皿保持部１０の収納部１９内にリフィル皿を収納した後、中蓋２０により収納部１９の開口を封止し、中蓋２０の上にパフを載置した後、外蓋３０を冠着することで収納が完了する。以下にその構成について詳述する。
【００１７】
リフィル皿保持部１０には、周壁１２によりリフィル皿を保持可能な収納部１９が区画形成されている。収納部１９は、リフィル皿形状に合わせて形成されており、本実施態様では略正方形に形成されているが、形状はこれに限定されず、リフィル皿形状に合わせて長方形、円形、楕円形などにしても良い。また、周壁１２の内周面には、リフィル皿を固定保持するための係合手段が設けられている（図示せず）。かかる係合手段としては、例えば、リフィル皿の側面に係合可能な凸部などが挙げられるが、特にこれに限定されるものではない。また、収納部１９内の底面１５の中央には開口部１５１が形成されており、かかる開口部１５１で露出するリフィル皿の底面を指で押し上げることにより、容易に収納部１９からリフィル皿を取り外すことができる。
【００１８】
収納部１９の周壁１２は、内部に空間を有する二重壁構造に形成されている。かかる二重壁構造により、外部からの衝撃を効果的に吸収することができ、運搬時などの化粧料の破損を防ぐことができる。この周壁１２には、中蓋２０との接続側に、周壁１２の一部を凹ませて形成した凹陥部１３が設けられている。また、中蓋２０および外蓋３０が接続されていない辺には、周壁１２の一部を凹ませて形成した指入部１４が２箇所設けられている。この指入部１４からはリフィル皿の側面が露出するため、かかる露出面を指で保持して容易にリフィル皿保持部１０からリフィル皿を取り外すことができる。
【００１９】
周壁１２の外周面には係合部１６が突設され、外周面の下端からは、フランジ１１が水平方向に突出形成されている。フランジ１１は、周壁１２を取り囲んで形成されているが、中蓋２０との接続側では、凹状の切り欠き部１８が形成されている。また、中蓋２０および外蓋３０が接続されていないフランジ１１の辺部には、フランジ１１の裏側へ膨出する溝状凹部１７が形成されている。かかる溝状凹部１７により、リフィル皿保持部１０の上下方向の荷重に対する強度が増すため、リフィル皿をより安全に保護することができる。また、溝状凹部１７により容器の強度が増すことで素材の厚みを薄くすることができ、材料として使用する樹脂量を逓減させることができる。
【００２０】
フランジ１１の切り欠き部１８の中央には、連結部４０が接続部４１で折り曲げ可能に連接されている。連結部４０は、フランジ１１の外縁よりも外側に突出するように形成されており、その先端において、中蓋２０が接続部４３で折り曲げ可能に連接されている。連結部４０には、接続部４３と並行して更に折り曲げ線４２が形成されている。これら接続部４１、接続部４３および折り曲げ線４２は、いずれも、収納部１９側に折り曲げ可能に形成されているが、折り曲げたときに、その折り曲げ状態を維持できる程度の強度を有することが好ましい。そして、連結部４０が接続部４１、接続部４３および折り曲げ線４２において一旦折り曲げられた後は、中蓋２０を開くために折り曲げた部分を伸ばそうとした場合、少なくとも折り曲げ線４２と接続部４３では、折り曲げ状態に戻ろうとする戻り付勢が働く程度の強度を有することが望ましい。このような戻り付勢を実現するためには、後述する材料を選択するとともに、折り曲げ線４２および接続部４３を例えばミシン目などで形成することが好ましい。
【００２１】
中蓋２０は、周縁部にフランジ２１が形成された１枚の略板状に形成されており、その形状は、収容部１９の開口の形状・寸法とほぼ一致し、収容部１９の開口内に挿入可能に形成されている。リフィル皿保持部１０の指入部１４に対応するフランジ２１部分には、つまみ部２４が突出形成されており、このつまみ部２４を指で保持することにより容易に中蓋２０を開くことができる。さらに、フランジ２１に沿って凸環部２３が収容部１９の開口側へ突出して形成されている。中蓋２０により収納部１９の開口を封止する際、かかる凸環部２３の頂部がリフィル皿の上端等に当接し、中蓋２０の天面２２と化粧料との間に空間を形成して互いに接触することを防ぐため、化粧料粉体の付着による汚れを効果的に防止できる。また、かかる凸環部２３により、板状の中蓋２０そのものの強度も向上する。
【００２２】
リフィル皿保持部１０のフランジ１１で、連結部４０が連接された側とは反対側の辺には、連結部５０が連接され、かかる連結部５０を介して外蓋３０が連接されている。連結部５０とリフィル皿保持部１０および外蓋３０との接続部分はともに折り曲げ可能に形成されている。外蓋３０は、天面３２と側壁３３によりリフィル皿保持部１０に冠着可能な形状に形成されており、側壁３３の下端（冠着時）からは、フランジ３１が水平方向に突出形成されている。側壁３３には、係合部３５が形成され、冠着時にリフィル皿保持部１０の係合部１６と互いに係合することにより、リフィル皿保持部１０に対して外蓋３０を固定することができる。また、連結部５０が連接された側とは反対側の側壁３３には、膨出部３４が形成されている。この膨出部３４は、外蓋３０の冠着時に連結部４０をカバーできるように形成されている。さらに、フランジ３１で、連結部５０が連接された側とは反対側の辺には、つまみ部３６が突出形成されている。なお、本実施態様では、リフィル皿保持部１０に対して、中蓋２０と外蓋３０は対向する反対側の辺に連接されているが、これに限らず、例えば、外蓋２０をリフィル皿保持部１０の上側もしくは下側の辺に連接させてもよい。ただし、リフィル皿保護容器１をそのまま化粧料容器として使用する場合は、本実施態様のように、それぞれ反対側の辺に連接することが好ましい。さらに、本実施態様では、連結部５０を介してリフィル皿保持部１０と外蓋３０が連接されているが、このような連結部５０を設けることなく、直接リフィル皿保持部１０と外蓋３０とを連接してもよい。
【００２３】
中蓋２０によりリフィル皿保持部１０の収納部１９の開口を封止し、その上から外蓋３０をリフィル皿保持部１０に冠着させることにより、外蓋３０の天面３２と中蓋２０の天面２２との間には、パフを収納可能な空間が形成される。この空間は、収納されるパフの寸法に合わせて形成すれば良いが、その高さ寸法は、収納するパフの高さよりも若干低めになるよう形成することが好ましい。このように、やや低めに形成することで、外蓋３０によりパフが押さえつけられて中蓋２０が安定するとともに、外からの衝撃に対しても、パフが緩衝材の役割を果たすことができ、リフィル皿の化粧料を保護することができる。
【００２４】
図３は、本発明のリフィル皿保護容器１にリフィル皿２およびパフ３を収納した状態を表す断面図である。リフィル皿保護容器１内へのリフィル皿２およびパフ３の収納方法は、まず、図１の開放状態において、リフィル皿保持部１０の収納部１９内にリフィル皿２を嵌め込んで、周壁１２の係合手段等により保持させる。次に、中蓋２０をリフィル皿保持部１０の上方に移動し、収納部１９の開口を封止する。次に、中皿２０の天面２２上にパフ３を載置する。そして最後に、外蓋３０をパフ３が載置されたリフィル皿保護容器１へ冠着し、外蓋３０の係合部３５とリフィル皿保持部１０の係合部１６を互いに係合させて固定する。以上の手順により、リフィル皿保護容器１内へのリフィル皿２およびパフ３の収納が完了する。また、本発明のリフィル皿保護容器１からリフィル皿２およびパフ３を取り出すときは、上記と逆の手順を踏めばよい。その際、最後にリフィル皿保持部１０からリフィル皿２を取り出さず、本発明のリフィル皿保護容器１をそのまま化粧料容器として使用してもよい。このようにリフィル皿保護容器１を化粧料容器として使用する場合は、外蓋３０を外すことにより直ちにパフを取り出すことができるため、使い勝手が良い。
【００２５】
図４（ａ）ないし図４（ｃ）は、中蓋２０が閉まる際の中蓋２０と連結部４０の一連の挙動と、周壁１２との関係について図示したものである。まず、あらかじめ連結部４０は折り曲げ線４２、接続部４３において中蓋２０の閉じる方向に折り曲げておく。そして、図４（ａ）に示すように、中蓋２０を閉じていくと、連結部４０側のフランジ２１の辺部２５が周壁１２の頂面１２１に当接する。このままの状態では中蓋２０を閉めることができないため、連結部４０が周壁１２側へ接近するように移動させると、中蓋２５の辺部２５が周壁１２の頂面１２１に当接したまま摺動する（図４（ｂ））。このとき、連結部４０は凹陥部１３に挿入されるため、周壁１２と接することはない。この状態のまま更に連結部４０が周壁１２側へ接近するように移動させ、辺部２５が頂面１２１の最も収納部１９寄りの端部１２２に移動したとき、辺部２５は頂面１２１から収納部１９内へと滑り落ちる。その際、中蓋２０の自重と折り曲げ線４２、接続部４３による戻り付勢によって自ずと中蓋２０は収納部１９内の定位置に収まるため、中蓋２０の閉まり際の感触は非常にスムーズに感じられ、化粧品にとって不可欠な高級感を演出することができる。
【００２６】
本発明のリフィル皿保護容器１において、連結部４０の折り曲げ線は上述の中蓋２０のスムーズな閉まり感のために１箇所設ければ良いが、これを２箇所以上にしても良い。また、折り曲げ線４２、接続部４３の設ける位置については、図４に示すように、中蓋２０を閉じた状態で接続部４３が周壁１２の頂面１２１よりもやや低い高さに位置するよう形成することが好ましく、折り曲げ線４２は接続部４３付近に位置するよう設けることが好ましい。
【００２７】
本発明のリフィル皿保護容器１は、容器全体に適度な可撓性をもたせるために、ある程度の弾性を有するシート状の材料で一体成形することが望ましく、また、充填されたリフィル皿中の化粧料の色等を外部から簡単に確認できるものとするために、透明な材料を使用することが好ましい。このような条件を満たす材料としては、例えば、ポリエチレンテレフタレート、ポリスチレン、ポリプロピレン、ポリエチレン、ポリカーボネートやこれらの再生樹脂等のプラスチック材料等を挙げることができる。なお、本発明のリフィル皿保護容器１を化粧料容器として使用する場合は、例えば中蓋２０を鏡代わりに使用できるよう、中蓋２０の天面２２にアルミ蒸着等を施し鏡状にしてもよい。
【符号の説明】
【００２８】
１  …  …  リフィル皿保護容器
２  …  …  リフィル皿
３  …  …  パフ
１０  …  …  リフィル皿保持部
１１  …  …  フランジ
１２  …  …  周壁
１３  …  …  凹陥部
１４  …  …  指入部
１５  …  …  底面
１６  …  …  係合部
１７  …  …  溝状凹部
１８  …  …  切り欠き部
１９  …  …  収納部
２０  …  …  中蓋
２１  …  …  フランジ
２２  …  …  天面
２３  …  …  凸環部
２４  …  …  つまみ部
２５  …  …  辺部
３０  …  …  外蓋
３１  …  …  フランジ
３２  …  …  天面
３３  …  …  側壁
３４  …  …  膨出部
３５  …  …  係合部
３６  …  …  つまみ部
４０  …  …  連結部
４１  …  …  接続部
４２  …  …  折り曲げ線
４３  …  …  接続部
５０  …  …  連結部
１２１  …  …  頂面
１２２  …  …  端部
１５１  …  …  開口部
α  …  …  化粧料
【図１】
0006038487.tif 000002
【図２】
0006038487.tif 000003
【図３】
0006038487.tif 000004
【図４】
0006038487.tif 000005